(57)【要約】【課題】  複数種類の機器本体に対するグリップの共通化を図り、部品点数を最小限に抑えることができる携帯型の情報読取装置を提供する。【解決手段】  外形が異なる第１、第２の各機器本体１、２のいずれかに対応する第１、第２の各アタッチメント部４、５の一方を選択し、この選択された第１、第２の各アタッチメント部４、５の一方によって１つのグリップ３に第１、第２の各機器本体１、２のいずれかを取り付ける。このため、複数種類である第１、第２の各機器本体１、２に対するグリップ３の共通化を図ることができるので、部品点数を最小限に抑えることができ、これにより部品の管理を簡素化することができると共に、コストの削減を図ることができる。【選択図】        図１
2011186699.tif 000002
【特許請求の範囲】
【請求項１】
情報読取部を有する外形の異なる複数種類の機器本体と、
前記情報読取部による情報の読取動作を行わせるためのトリガスイッチを有するグリップと、
このグリップに対して固定され、且つ前記複数種類のいずれかの前記機器本体に対応して取り付けられる複数種類のアタッチメント部と、
を備えていることを特徴とする携帯型の情報読取装置。
【請求項２】
前記情報読取部は、光を対象物に照射させ、その反射光を受光することにより、情報を読み取る光学読取部であることを特徴とする請求項１に記載の携帯型の情報読取装置。
【請求項３】
前記グリップに対する前記機器本体の取付角度を調整する角度調整部材を備えていることを特徴とする請求項１または請求項２に記載の携帯型の情報読取装置。
【請求項４】
前記角度調整部材は、前記グリップに固定される第１ヒンジ部と、前記アタッチメント部に固定される第２ヒンジ部と、この第１、第２の各ヒンジ部を回転可能に連結する連結部とを備えていることを特徴とする請求項３に記載の携帯型の情報読取装置。
【請求項５】
前記グリップと前記アタッチメント部との間には、防水部材が設けられていることを特徴とする請求項１〜請求項４のいずれかに記載の携帯型の情報読取装置。
【発明の詳細な説明】
【技術分野】
【０００１】
この発明は、情報を読み取る携帯情報端末機などの携帯型の情報読取装置に関する。
【背景技術】
【０００２】
従来、携帯型の情報読取装置においては、特許文献１に記載されているように、光学的に情報を読み取る情報読取部を有する機器本体に、電池を内蔵したグリップを着脱可能に取り付けると共に、このグリップに代えて交流電源を供給するアダプタ装置を着脱可能に取り付けるように構成されたものが知られている。
【先行技術文献】
【特許文献】
【０００３】
【特許文献１】特開平０７−３１１８１２号公報
【０００４】
この種の携帯型の情報読取装置は、機器本体からグリップを取り外して、アダプタ装置を機器本体に取り付けることにより、機器本体に交流電源を供給することにより、グリップに内蔵された電池の消耗を軽減するように構成されている。
【発明の概要】
【発明が解決しようとする課題】
【０００５】
しかしながら、このような従来の携帯型の情報読取装置では、１つの機器本体に対してグリップとアダプタ装置とを交換可能に取り付ける構成であるから、機器本体の外形や機能が異なることによって、機器本体が複数種類ある場合に、その複数種類の機器本体ごとにグリップとアダプタ装置とが必要となり、部品の共通化を図ることができない。このため、部品点数が多くなり、部品の管理が煩雑になるばかりか、製品コストが高くなるという問題がある。
【０００６】
この発明が解決しようとする課題は、複数種類の機器本体に対するグリップの共通化を図り、部品点数を最小限に抑えることができる携帯型の情報読取装置を提供することである。
【課題を解決するための手段】
【０００７】
この発明は、上記課題を解決するために、次のような構成要素を備えている。
請求項１に記載の発明は、情報読取部を有する外形の異なる複数種類の機器本体と、前記情報読取部による情報の読取動作を行わせるためのトリガスイッチを有するグリップと、このグリップに対して固定され、且つ前記複数種類のいずれかの前記機器本体に対応して取り付けられる複数種類のアタッチメント部と、を備えていることを特徴とする携帯型の情報読取装置である。
【０００８】
請求項２に記載の発明は、前記情報読取部が、光を対象物に照射させ、その反射光を受光することにより、情報を読み取る光学読取部であることを特徴とする請求項１に記載の携帯型の情報読取装置である。
【０００９】
請求項３に記載の発明は、前記グリップに対する前記機器本体の取付角度を調整する角度調整部材を備えていることを特徴とする請求項１または請求項２に記載の携帯型の情報読取装置である。
【００１０】
請求項４に記載の発明は、前記角度調整部材が、前記グリップに固定される第１ヒンジ部と、前記アタッチメント部に固定される第２ヒンジ部と、この第１、第２の各ヒンジ部を回転可能に連結する連結部とを備えていることを特徴とする請求項３に記載の携帯型の情報読取装置である。
【００１１】
請求項５に記載の発明は、前記グリップと前記アタッチメント部との間に、防水部材が設けられていることを特徴とする請求項１〜請求項４のいずれかに記載の携帯型の情報読取装置である。
【発明の効果】
【００１２】
この発明によれば、外形が異なる複数種類の機器本体のいずれかに対応するアタッチメント部を選択し、この選択されたアタッチメント部によって１つのグリップに複数種類の機器本体のいずれかを取り付けることができる。このため、複数種類の機器本体に対するグリップの共通化を図ることができ、これにより部品点数を最小限に抑えることができるので、部品の管理を簡素化することができると共に、製品コストを削減することができる。
【図面の簡単な説明】
【００１３】
【図１】この発明を適用した携帯型の情報読取装置の一実施形態において、第１の機器本体をグリップに取り付けた状態を示した側面図である。
【図２】図１に示された携帯型の情報読取装置において、第１の機器本体に代えて第２の機器本体をグリップに取り付けた状態を示した側面図である。
【図３】図１に示された第１の機器本体を示し、（ａ）はその第１の機器本体の斜視図、（ｂ）はその第１の機器本体の平面図である。
【図４】図２に示された第２の機器本体を示し、（ａ）はその第２の機器本体の斜視図、（ｂ）はその第２の機器本体の平面図である。
【図５】図１に示された携帯型の情報読取装置において、グリップおよび第１アタッチメント部を破断して示した側面図である。
【図６】図２に示された携帯型の情報読取装置において、グリップおよび第２アタッチメント部を破断して示した側面図である。
【図７】図１に示された携帯型の情報読取装置において、グリップと第１アタッチメント部とを分解して示した要部の拡大斜視図である。
【図８】図２に示された携帯型の情報読取装置において、グリップと第２アタッチメント部を分解して示した要部の拡大斜視図である。
【図９】図５および図６に示された角度調整部材を示した拡大斜視図である。
【図１０】図９に示された角度調整部材を分解して示した拡大斜視図である。
【図１１】図１に示された携帯型の情報読取装置において、第１の機器本体をグリップに対して相対的に傾ける状態を示した側面図である。
【図１２】図１１に示された携帯型の情報読取装置において、グリップと第１アタッチメント部との取付状態を示し、（ａ）はグリップと第１アタッチメント部とが実線で示された通常状態における断面図、（ｂ）はグリップと第１アタッチメント部とが点線で示すように傾いた状態における断面図である。
【発明を実施するための形態】
【００１４】
以下、図１〜図１２を参照して、この発明を適用した携帯型の情報読取装置の一実施形態について説明する。
この携帯型の情報読取装置は、光学的に情報を読み取る携帯型の情報読取端末機であり、図１および図２に示すように、外形や機能が異なる複数種類（この実施形態では２種類）の機器本体１、２と、この２種類の機器本体１、２に共通の１つのグリップ３と、このグリップ３に対して固定されて２種類の機器本体１、２のいずれかに対応して取り付けられる複数種類（この実施形態では２種類）のアタッチメント部４、５とを備えている。
【００１５】
２種類の機器本体１、２のうち、第１の機器本体１は、図３（ａ）および図３（ｂ）に示すように、ほぼ長方形状に形成されている。この第１の機器本体１の上面には、表示部６ａおよびキー入力部６ｂが設けられており、この第１の機器本体１の側面には、サイドスイッチ７ａおよび光通信用の光学窓部７ｂが設けられている。さらに、この第１の機器本体１の内部には、図１に点線で示すように、第１の光学読取部８が設けられている。
【００１６】
また、第２の機器本体２は、図４（ａ）および図４（ｂ）に示すように、第１の機器本体１よりも、長さの長いほぼ長方形状に形成されている。この第２の機器本体２の上面には、表示部９ａおよびキー入力部９ｂが設けられており、この第２の機器本体２の側面には、サイドスイッチ１０が設けられている。さらに、この第２の機器本体２の内部にも、図２に点線で示すように、第２の光学読取部１１が設けられている。
【００１７】
この場合、第１、第２の各機器本体１、２における各表示部６ａ、９ａは、図３および図４に示すように、それぞれ液晶表示パネルやＥＬ（エレクトロルミネッセンス）表示パネルなどの平面型の表示パネルからなり、電気光学的に情報を表示するように構成されている。この各表示部６ａ、９ａは、その大きさが両者とも、ほぼ同じ大きさに形成されている。
【００１８】
また、第１、第２の各機器本体１、２における各キー入力部６ｂ、９ｂは、図３および図４に示すように、それぞれテンキー、ファンクションキー、決定キーなどの各種のキーを備え、キー操作に応じて情報を入力するように構成されている。この場合、第１の機器本体１のキー入力部６ｂは、そのキー設置領域が表示部６ａの表示領域よりも狭く形成されている。また、第２の機器本体２のキー入力部９ｂは、そのキー設置領域が表示部９ａの表示領域よりも広く形成されている。これにより、第２の機器本体２は、第１の機器本体１よりも大きく形成されている。
【００１９】
さらに、第１、第２の各機器本体１、２内に設けられた第１、第２の各光学読取部８、１１は、図示しないが、それぞれ発光ダイオード（ＬＥＤ）やレーザー光線などの発光素子と、ＣＣＤやＣＭＯＳなどの撮像素子やフォトセンサとを備え、発光素子で発光した光を対象物に照射させ、その反射光を撮像素子やフォトセンサで受光することにより、バーコードや２次元コードなどのコードシンボルや商品などの対象物を光学的に読み取るように構成されている。このため、第１の機器本体１の先端面（図３（ｂ）では左側の端面）には、光学窓部８ａが第１の光学読取部８に対応して設けられている。また、第２の機器本体２の先端面（図４（ｂ）では左側の端面）には、光学窓部１１ａが第２の光学読取部１１に対応して設けられている。
【００２０】
この場合、第１の機器本体１内に設けられた第１の光学読取部８は、図１に示すように、その光軸が光学窓部８ａから第１の機器本体１とほぼ平行な水平方向に延び、且つグリップ３の中心線に対して約９０°の角度をなすように設定されている。また、第２の機器本体２内に設けられた第２の光学読取部１１は、図２に示すように、その光軸が光学窓部１１ａから第２の機器本体２の上面に対して約２７°の角度、下側に傾いて延び、且つグリップ３の中心線に対して約９０°の角度をなすように設定されている。
【００２１】
一方、グリップ３は、図１および図２に示すように、２種類の機器本体１、２に対して共通に取り付けられるように構成されている。すなわち、このグリップ３は、図５〜図８に示すように、グリップ本体１２を備えている。このグリップ本体１２は、左右２つに分割された一対のグリップケース１３、１４を備え、これら一対のグリップケース１３、１４が複数のビス１５によって結合されるように構成されている。
【００２２】
この一対のグリップケース１３、１４は、図７および図８に示すように、それぞれ各内部が中空に形成されている。この一対のグリップケース１３、１４における各前面上部（図７では左側上部）には、スイッチ開口部１６が一対のグリップケース１３、１４に跨って設けられている。このスイッチ開口部１６の下部に位置する一対のグリップケース１３、１４の箇所には、指掛け部１７がそれぞれ前方（図７では左側）に突出して設けられている。
【００２３】
また、この一対のグリップケース１３、１４のうち、一方（図７では左側）のグリップケース１３の上部には、その他方（図７では右側）のグリップケース１４における上面に設けられた開口部１４ａを塞ぐための蓋部１８が設けられている。さらに、このグリップケース１３の下部には、図５〜図８に示すように、グリップ本体１２内に侵入した水を外部に排出する水抜き孔１２ａが設けられている。
【００２４】
また、このグリップ本体１２には、図５〜図８に示すように、トリガスイッチ２０が設けられている。このトリガスイッチ２０は、指で押圧操作されるスイッチ釦２１と、このスイッチ釦２１によって押圧されてスイッチ動作するスイッチ部２２とを備えている。スイッチ釦２１は、図５〜図８に示すように、その前部（図７では左側）がグリップ本体１２のスイッチ開口部１６から前側外部に突出した状態で、グリップ本体１２内に出没可能に配置されている。
【００２５】
すなわち、このスイッチ釦２１は、図７および図８に示すように、その前部が一対のグリップ１３、１４のスイッチ開口部１６内に配置され、この前部の上部（図７では左上部）に筒状の支持軸２３が設けられ、この筒状の支持軸２３内にビス１５が挿入することにより、支持軸２３を中心に上下方向に回転するように構成されている。また、このスイッチ釦２１は、ばね部材２４によってグリップ本体１２内から押し出される方向に向けて付勢されている。
【００２６】
スイッチ部２２は、図５〜図８に示すように、グリップケース１３の蓋部１８上に配置されたスイッチ基板２５と、このスイッチ基板２５の下面に設けられたスイッチ本体２６とを備えている。このスイッチ本体２６は、図７および図８に示すように、グリップケース１３の蓋部１８に設けられた挿入口１８ａ内に、防水カバー２７を介して挿入された状態で配置されている。
【００２７】
すなわち、このスイッチ本体２６は、図５および図６に示すように、蓋部１８の挿入口１８ａを通してグリップ本体１２内に露出し、この露出した部分がスイッチ釦２１の上部からグリップ本体１２内に突出した突出部２１ａ上に設けられた操作部２８によって押圧操作されることにより、スイッチ動作してトリガ信号を出力するように構成されている。この場合、防水カバー２７は、図７および図８に示すように、ゴムなどの弾性材料からなり、スイッチ本体２６を囲う筒形状に形成され、スイッチ基板２５の下面および蓋部１８の挿入口１８ａの内周面に密着して配置されている。
【００２８】
これにより、トリガスイッチ２０は、図５〜図８に示すように、スイッチ釦２１がばね部材２４のばね力に抗して押圧操作されると、スイッチ釦２１が支持軸２３を中心に図５および図６において反時計回りに回転し、これに伴って操作部２８が押し上げられ、この押し上げられた操作部２８が蓋部１８の挿入口１８ａ内に配置されたスイッチ本体２６を押圧することにより、スイッチ本体２６がオン動作してトリガ信号を出力するように構成されている。
【００２９】
ところで、このグリップ３は、図１に示すように、第１の機器本体１に対応する第１のアタッチメント部４と、図２に示すように、第２の機器本体２に対応する第２のアタッチメント部５とが、角度調整部材３０によってそれぞれ取り付けられるように構成されている。この角度調整部材３０は、図９および図１０に示すように、グリップ本体１２に固定される第１ヒンジ部３１と、第１、第２の各アタッチメント部４、５のいずれか一方に固定される第２ヒンジ部３２と、この第１、第２の各ヒンジ部３１、３２を回転可能に連結する連結部３３とを備えている。
【００３０】
すなわち、第１ヒンジ部３１は、図１０に示すように、金属板の一端部を残して円筒状に丸めることにより、円筒部３１ａと取付部３１ｂとを備えている。この第１ヒンジ部３１は、その取付部３１ｂがビス３１ｃによってグリップ本体１２の上部に上側から取り付けられるように構成されている。
【００３１】
また、第２ヒンジ部３２は、第１ヒンジ部３１と同様、金属板の一端部を残して円筒状に丸めることにより、円筒部３２ａと取付部３２ｂとを備えている。この第２ヒンジ部３２は、その取付部３２ｂがビス３２ｃによって第１、第２のアタッチメント部４、５の一方に下側から取り付けられるように構成されている。
【００３２】
連結部３３は、図１０に示すように、第２ヒンジ部３２の円筒部３２ａ内に挿入するねじ部材３４と、第１ヒンジ部３１の円筒部３１ａ内に挿入してねじ部材３４が螺着するナット部材３５と、ねじ部材３４に装着して第２ヒンジ部３２とねじ部材３４との間に弾力的に挟まれるスプリングワッシャ３６と、ねじ部材３４に対するナット部材３５の脱落を防ぐための抜け止め部材３７とを備えている。
【００３３】
ねじ部材３４は、図１０に示すように、頭部３４ａと、第２ヒンジ部３２の円筒部３２ａ内に挿入するシャフト部３４ｂと、第１ヒンジ部３１の円筒部３１ａ内に挿入するねじ部３４ｃとを備えている。ナット部材３５は、図９および図１０に示すように、第１ヒンジ部３１の円筒部３１ａ内に挿入する円筒状に形成されている。
【００３４】
このナット部材３５の内部には、図１０に示すように、ねじ部材３４のねじ部３４ｃが螺合するねじ孔３５ａが形成されており、このナット部材３５の外周面には、円筒部３１ａ内におけるナット部材３５の回転を阻止するための回転止め部３５ｂが設けられている。スプリングワッシャ３６は、図１０に示すように、ねじ部材３４のシャフト部３４ｂが挿入し、この状態で図９に示すようにねじ部材３４の頭部３４ａと第２ヒンジ部３２の円筒部３２ａの端部との間に弾力をもって挟まれるように構成されている。
【００３５】
これにより、角度調整部材３０は、図９および図１０に示すように、ナット部材３５を第１ヒンジ部３１の円筒部３１ａ内に挿入させ、ねじ部材３４のシャフト部３４ｂにスプリングワッシャ３６を装着させ、この状態でねじ部材３４を第２ヒンジ部３２の円筒部３２ａに挿入させ、このねじ部材３４のねじ部３４ｃをナット部材３５のねじ孔３５ａに螺入させて締め付けることにより、第１ヒンジ部３１の円筒部３１ａと第２ヒンジ部３２の円筒部３２ａとが、ねじ部材３４を中心に相対的に回転可能な状態で連結されるように構成されている。
【００３６】
この場合、角度調整部材３０は、ねじ部材３４のねじ部３４ｃをナット部材３５のねじ孔３５ａに螺入させて締め付けると、第１ヒンジ部３１の円筒部３１ａと第２ヒンジ部３２の円筒部３２ａとが、スプリングワッシャ３６のばね力によって弾力的に連結されることにより、ねじ部材３４の締め付け力に応じて第１ヒンジ部３１の円筒部３１ａと第２ヒンジ部３２の円筒部３２ａとの相対的な回転力が調整されるように構成されている。
【００３７】
また、この角度調整部材３０は、図１０に示すように、第１ヒンジ部３１の円筒部３１ａと第２ヒンジ部３２の円筒部３２ａとが互いに圧接し合う各端面に、鋸歯状のラチェット部３１ｄ、３２ｄが設けられ、第１ヒンジ部３１の円筒部３１ａと第２ヒンジ部３２の円筒部３２ａとが相対的に回転する際に、ラチェット部３１ｄ、３２ｄの噛み合いがずれることにより、所定の回転角（例えば回転角５°）ごとにクリック感をもって、第１ヒンジ部３１の円筒部３１ａと第２ヒンジ部３２の円筒部３２ａを任意の回転位置に位置規制するように構成されている。
【００３８】
ところで、この角度調整部材３０によってグリップ３に取り付けられる第１、第２の各アタッチメント部４、５のうち、第１のアタッチメント部４は、図７に示すように、第１の機器本体１にビス４０によって取り付けられる第１アタッチメントケース４１と、この第１アタッチメントケース４１内に配置される第１接続基板４２と、第１アタッチメントケース４１の上部を覆う第１蓋ケース４３とを備えている。
【００３９】
この第１アタッチメントケース４１は、図７に示すように、グリップ３のグリップ本体１２における上部が装着するグリップ装着部４１ａと、第１の機器本体１の下面に取り付けられる機器取付部４１ｂと、第１接続基板４２が取り付けられる基板取付部４１ｃとを備えている。グリップ装着部４１ａは、図５および図７に示すように、グリップ本体１２の上部が挿入する四角い枠形状に形成されている。
【００４０】
機器取付部４１ｂは、図５および図７に示すように、グリップ装着部４１ａの上部から上方に向けて広がる四角形状の箱状に形成され、その上端部が第１の機器本体１の下面に配置された状態で、第１の機器本体１にビス４０によって取り付けられるように構成されている。基板取付部４１ｃは、グリップ装着部４１ａの上部から機器取付部４１ｂ内に向けて四角い枠形状に形成され、その上端部に第１接続基板４２が取り付けられて機器取付部４１ｂ内に配置されるように構成されている
【００４１】
この場合、第１アタッチメントケース４１のグリップ装着部４１ａは、図１１および図１２に示すように、グリップ本体１２の上部が挿入した状態で、角度調整部材３０の第２ヒンジ部３２にビス３２ｃによって取り付けられるように構成されている。これにより、第１アタッチメントケース４１は、角度調整部材３０によって第１の機器本体１と共に上下方向に回転するように構成されている。
【００４２】
また、この第１アタッチメントケース４１のグリップ装着部４１ａは、図１１および図１２に示すように、第１アタッチメントケース４１が角度調整部材３０によって上下方向に回転する際に、グリップ本体１２の上に位置する蓋部１８の外周に設けられた防水リング４４がグリップ装着部４１ａの内面を摺動するように構成されている。これにより、第１アタッチメントケース４１は、グリップ装着部４１ａの内部の防水性が防水リング４４によって保たれるように構成されている。
【００４３】
ところで、第１接続基板４２は、図７に示すように、グリップ装着部４１ａ内および基板取付部４１ｃ内を通る接続ケーブル４６によって、グリット本体１２のスイッチ基板２５と電気的に接続されている。この第１接続基板４２の上面には、第１コネクタ４５が第１の機器本体１の長手方向に沿って設けられている。この第１コネクタ４５は、図５に示すように、第１の機器本体１の下面に設けられたコネクタ１ａ（図１参照）に差し込まれて電気的に接続されるように構成されている。
【００４４】
また、第１蓋ケース４３は、図７に示すように、機器取付部４１ｂの上部にパッキン４３ｂを介して配置され、第１アタッチメントケース４１と共に第１の機器本体１の下面にビス４０によって取り付けられるように構成されている。この第１蓋ケース４３には、第１接続基板４２の第１コネクタ４５が挿入するコネクタ挿入孔４３ａが設けられている。これにより、グリップ３のトリガスイッチ２０のスイッチ本体２６は、スイッチ基板２５、接続ケーブル４６、第１接続基板４２、第１コネクタ４５によって、第１の機器本体１内の電子回路（図示せず）と電気的に接続されている。
【００４５】
一方、第２のアタッチメント部５は、図８に示すように、第２の機器本体２にビス４０によって取り付けられる第２アタッチメントケース５１と、この第２アタッチメントケース５１内に配置される第２接続基板５２と、第２アタッチメントケース５１の上部を覆う第２蓋ケース５３とを備えている。
【００４６】
この第２アタッチメントケース５１は、図８に示すように、第１アタッチメントケース４１よりも大きい四角い箱形状に形成されている。この第２アタッチメントケース５１は、図６に示すように、その下部がグリップ３のグリップ本体１２の上部に取り付けられ、その上部が第２の機器本体２の下面に取り付けられるように構成されている。
【００４７】
この第２アタッチメントケース５１の下面には、図８に示すように、グリップ３のグリップ本体１２の上部が装着する角孔形状のグリップ装着部５１ａ（図６参照）が設けられている。また、第２アタッチメントケース５１の内部には、四角い枠形状の基板取付部５１ｂがグリップ装着部５１ａに対応して設けられている。
【００４８】
この場合、第２アタッチメントケース５１は、第１アタッチメントケース４１と同様、グリップ装着部５１ａにグリップ本体１２の上部が挿入した状態で、角度調整部材３０の第２ヒンジ部３２にビス３２ｃによって取り付けられるように構成されている。これにより、第２アタッチメントケース５１は、角度調整部材３０によって第２の機器本体２と共に上下方向に回転するように構成されている。
【００４９】
また、この第２アタッチメントケース５１のグリップ装着部５１ａは、第１アタッチメントケース４１と同様、第２アタッチメントケース５１が角度調整部材３０によって上下方向に回転する際に、グリップ本体１２の蓋部１８の外周に設けられた防水リング４４がグリップ装着部５１ａの内面を摺動するように構成されている。これにより、第２アタッチメントケース５は、そのグリップ装着部５１ａの内部の防水性が防水リング４４によって保たれるように構成されている。
【００５０】
ところで、第２接続基板５２は、図８に示すように、グリップ装着部５１ａ内および基板取付部５１ｂ内を通る接続ケーブル５６によって、グリット本体１２のスイッチ基板２５と電気的に接続されている。この第２接続基板５２の上面には、第２コネクタ５５が第２の機器本体２の長手方向に対して直交する方向に沿って設けられている。この第２コネクタ５５は、図６に示すように、第２の機器本体２の下面に設けられたコネクタ２ａ（図２参照）に差し込まれて電気的に接続されるように構成されている。
【００５１】
また、第２蓋ケース５３は、図８に示すように、第２アタッチメントケース５１の上部にパッキン５３ｂを介して配置され、第２アタッチメントケース５１と共に第２の機器本体２の下面にビス４０によって取り付けられるように構成されている。この第２蓋ケース５３には、第２接続基板５２の第２コネクタ５５が挿入するコネクタ挿入孔５３ａが設けられている。これにより、グリップ３のトリガスイッチ２０のスイッチ本体２６は、スイッチ基板２５、接続ケーブル５６、第２接続基板５２、第２コネクタ５５によって、第２の機器本体２内の電子回路（図示せず）と電気的に接続されている。
【００５２】
次に、このような携帯型の情報読取装置を使用する場合について説明する。
この携帯型の情報読取装置は、外形や機能が異なる第１の機器本体１と第２の機器本体２との２種類があり、用途に応じて使い分けることができる。例えば、第１の機器本体１をグリップ３に取り付けて使用する場合には、図７に示すように、グリップ３のグリップ本体１２の上部に第１の機器本体１に対応する第１のアタッチメント部４を取り付ける。
【００５３】
このときには、まず、第１アタッチメントケース４１のグリップ装着部４１ａ内にグリップ本体１２の上部を挿入させた状態で、図７に示すように、グリップ本体１２の上部に取り付けられた角度調整部材３０の第２ヒンジ部３２に第１アタッチメントケース４１を取り付ける。この状態で、トリガスイッチ２０のスイッチ基板２５を接続ケーブル４６によって第１接続基板４２に接続し、この第１接続基板４２を第１アタッチメントケース４１内の基板取付部４１ｃに取り付ける。そして、この第１アタッチメントケース４１上にパッキン４３ｂを介して第１蓋ケース４３を配置する。
【００５４】
この後、図５および図７に示すように、第１アタッチメントケース４１内の第１接続基板４２に設けられた第１コネクタ４５を第１の機器本体１の下面側に配置されたコネクタ１ａに差し込んで電気的に接続する。この状態で、第１アタッチメントケース４１を第１の機器本体１の下面にビス４０によって取り付ける。これにより、図５に示すように、第１の機器本体１内の電子回路（図示せず）とグリップ３のトリガスイッチ２０とが電気的に接続された状態で、第１の機器本体１がグリップ３に取り付けられる。
【００５５】
この第１の機器本体１がグリップ３に取り付けられた携帯型の情報読取装置によって商品などの対象物を読み取る場合には、第１の機器本体１の光学窓部８ａを対象物に向けて、グリップ３のトリガスイッチ２０を押圧操作する。このときには、トリガスイッチ２０のスイッチ釦２１をばね部材２４のばね力に抗して指で押すと、スイッチ釦２１が支持軸２３を中心に回転して、スイッチ釦２１の操作部２８がスイッチ部２２のスイッチ基板２５に設けられたスイッチ本体２６を押すので、スイッチ本体２６がオン動作してトリガ信号を出力する。
【００５６】
これにより、第１の機器本体１内に設けられた第１の光学読取部８は、その発光素子を発光させて光を対象物に照射させ、その反射光を撮像素子で受光することにより、商品などの対象物を画像情報として読み取る。この場合、商品などの対象物が棚の高い位置にある場合には、角度調整部材３０によってグリップ３に対する第１の機器本体１の取付角度を調整して、第１の光学読取部８の光軸をグリップ３の中心線に対して傾けて、第１の光学読取部８の発光素子によって発光した光を高い位置にある商品などの対象物に照射し易くする。
【００５７】
すなわち、角度調整部材３０を中心に第１の機器本体１を回転させると、角度調整部材３０のねじ部材３４を中心に、第２ヒンジ部３２が第１ヒンジ部３１に対して相対的に回転し、図１１に点線で示すように、グリップ３に対する第１の機器本体１の傾き角度が調整されるので、グリップ３の中心線に対する第１の光学読取部８の光軸の傾きを調整することができる。
【００５８】
このときには、第１ヒンジ部３１の円筒部３１ａと第２ヒンジ部３２の円筒部３２ａとが互いに圧接し合う各端面に設けられた鋸歯状のラチェット部３１ｄ、３２ｄの噛み合いによって、所定の回転角度（例えば回転角５度）ごとにクリック感をもって、第１ヒンジ部３１の円筒部３１ａと第２ヒンジ部３２の円筒部３２ａを任意の回転位置に位置規制することができる。これにより、商品などの対象物が棚の高い位置にあっても、第１の光学読取部８によって対象物を読み取り易くして、対象物を画像情報として正確に且つ良好に読み取ることができる。
【００５９】
一方、第２の機器本体２をグリップ３に取り付けて使用する場合には、まず、第１の機器本体１と第１アタッチメント部４とをグリップ３から取り外し、この第１の機器本体１および第１アタッチメント部４に代えて、図８に示すように、第２の機器本体２をこれに対応する第２アタッチメント部５によってグリップ３に取り付ける。
【００６０】
このときには、まず、第２アタッチメントケース５１のグリップ装着部５１ａ内にグリップ本体１２の上部を挿入させた状態で、グリップ本体１２の上部に取り付けられた角度調整部材３０の第２ヒンジ部３２に第２アタッチメントケース５１を取り付ける。この状態で、トリガスイッチ２０のスイッチ基板２５を接続ケーブル５６によって第２接続基板５２に接続し、この第２接続基板５２を第２アタッチメントケース５１内の基板取付部５１ｂに取り付ける。そして、この第２アタッチメントケース５１上にパッキン５３ａを介して第２蓋ケース５３を配置する。
【００６１】
この後、図６および図８に示すように、第２アタッチメントケース５１内の第２接続基板５２に設けられた第２コネクタ５５を第２の機器本体２の下面側に配置されたコネクタ２ａに差し込んで電気的に接続する。この状態で、第２アタッチメントケース５１を第２の機器本体２の下面にビス４０によって取り付ける。これにより、図６に示すように、第２の機器本体２内の電子回路（図示せず）とグリップ３のトリガスイッチ２０とが電気的に接続された状態で、第２の機器本体２がグリップ３に取り付けられる。
【００６２】
この第２の機器本体２がグリップ３に取り付けられた携帯型の情報読取装置によって商品などの対象物を読み取る場合には、第２の機器本体２における第２の光学窓部１１ａを対象物に向けて、グリップ３のトリガスイッチ２０を押圧操作する。このときにも、トリガスイッチ２０のスイッチ釦２１をばね部材２４のばね力に抗して指で押すと、スイッチ釦２１が支持軸２３を中心に回転して、スイッチ釦２１の操作部２８がスイッチ部２２のスイッチ基板２５に設けられたスイッチ本体２６を押すので、スイッチ本体２６がオン動作してトリガ信号を出力する。
【００６３】
これにより、第２の機器本体２内に設けられた第２の光学読取部１１は、その発光素子を発光させて光を対象物に照射させ、その反射光を撮像素子で受光することにより、対象物を画像情報として読み取る。この場合、商品などの対象物が棚の高い位置にある場合には、角度調整部材３０によってグリップ３に対する第２の機器本体２の取付角度を調整して、第２の光学読取部１１の光軸をグリップ３の中心線に対して傾けて、第２の光学読取部１１の発光素子によって発光した光を高い位置にあるコードシンボルや商品などの対象物に照射し易くする。
【００６４】
すなわち、角度調整部材３０を中心に第２の機器本体２を回転させると、角度調整部材３０のねじ部材３４を中心に、第２ヒンジ部３２が第１ヒンジ部３１に対して相対的に回転する。すると、グリップ３に対する第２の機器本体２の傾き角度が調整されるので、グリップ３の中心線に対する第２の光学読取部１１の光軸の傾きを調整することができる。
【００６５】
このときにも、第１ヒンジ部３１の円筒部３１ａと第２ヒンジ部３２の円筒部３２ａとが互いに圧接し合う各端面に設けられた鋸歯状のラチェット部３１ｄ、３２ｄの噛み合いによって、所定の回転角度（例えば回転角５°）ごとにクリック感をもって、第１ヒンジ部３１の円筒部３１ａと第２ヒンジ部３２の円筒部３２ａを任意の回転位置に位置規制することができる。これにより、コードシンボルや商品などの対象物が棚の高い位置にあっても、第２の光学読取部１１によって対象物を読み取り易くして、対象物を画像情報として正確に且つ良好に読み取ることができる。
【００６６】
このように、この携帯型の情報読取装置によれば、外形が異なる第１、第２の各機器本体１、２のいずれかに対応する第１、第２の各アタッチメント部４、５の一方を選択し、この選択した第１、第２の各アタッチメント部４、５の一方によって、１つのグリップ３に第１、第２の各機器本体１、２のいずれかを取り付けることができる。このため、第１、第２の各機器本体１、２に対するグリップ３の共通化を図ることができ、これにより部品点数を最小限に抑えることができるので、部品の管理を簡素化することができると共に、製品コストを削減することができる。
【００６７】
この場合、第１、第２の各機器本体１、２にそれぞれ組み込まれた第１、第２の各光学読取部８、１１は、それぞれ発光素子の光を対象物に照射させ、その反射光を撮像素子で受光することにより、対象物を画像情報として読み取る構成であるから、コードシンボルや商品などの対象物を画像情報として良好に読み取ることができる。
【００６８】
すなわち、第１、第２の各機器本体１、２のうち、グリップ３に取り付けられた第１の機器本体１の光学窓部８ａまたは第２の機器本体２の光学窓部１１ａをコードシンボルや商品などの対象物に向けて、グリップ３のトリガスイッチ２０を操作すると、トリガスイッチ２０がオン動作してトリガ信号を出力し、これにより第１、第２の各光学読取部８、１１が読取動作を行って、対象物の画像情報を良好に読み取ることができる。
【００６９】
また、グリップ３に対する第１、第２の各機器本体１、２の取付角度を調整する角度調整部材３０を備えているので、この角度調整部材３０によってグリップ３に対する第１、第２の各機器本体１、２の取付角度を調整して、グリップ３の中心線に対する第１、第２の各光学読取部８、１１における光軸の角度を調整することができ、これにより第１、第２の各光学読取部８、１１をコードシンボルや商品などの対象物に向け易くすることができるので、コードシンボルや商品などの対象物を読み取り易くして、対象物を画像情報として良好に且つ正確に読み取ることができ、これにより読取操作性の向上を図ることができる。
【００７０】
この場合、角度調整部材３０は、グリップ３に固定される第１ヒンジ部３１と、第１、第２の各アタッチメント部４、５に固定される第２ヒンジ部３２と、この第１、第２の各ヒンジ部３１、３２を回転可能に連結する連結部３３とを備えているので、この連結部３３を中心に第１、第２の各ヒンジ部３１、３２を相対的に回転させるだけで、第１、第２の各アタッチメント部４、５に取り付けられた第１、第２の各機器本体１、２をグリップ３に対して簡単に且つ容易に傾けることができる。
【００７１】
また、この角度調整部材３０は、第１ヒンジ部３１の円筒部３１ａと第２ヒンジ部３２の円筒部３２ａとが互いに圧接し合う各端面に、鋸歯状のラチェット部３１ｄ、３２ｄが設けられているので、第１ヒンジ部３１の円筒部３１ａと第２ヒンジ部３２の円筒部３２ａとが相対的に回転する際に、ラチェット部３１ｄ、３２ｄの噛み合いがずれることにより、所定の回転角度（例えば回転角５°）ごとにクリック感をもって、第１ヒンジ部３１の円筒部３１ａと第２ヒンジ部３２の円筒部３２ａを任意の回転位置に位置規制することができ、これにより使い勝手の良いものを提供することができる。
【００７２】
さらに、この携帯型の情報読取装置によれば、グリップ３と、これに取り付けられた第１、第２の各アタッチメント部４、５との間に、防水リング４４が設けられているので、第１、第２の各アタッチメント部４、５が角度調整部材３０によってグリップ３に対する角度を調整できるように構成されていても、グリップ３と第１、第２の各アタッチメント部４、５の間の防水性を確保することができる。
【００７３】
すなわち、この防水リング４４は、グリップ３のグリップ本体１２の上部に設けられた蓋部１８の外周に設けられ、第１、第２の各アタッチメント部４、５の各グリップ装着部４１ａ、５１ａの各内面が防水リング４４に摺動可能に弾接しているので、グリップ３に対して第１、第２の各アタッチメント部４、５を傾ける際に、第１、第２の各アタッチメント部４、５の各グリップ装着部４１ａ、５１ａの各内面を防水リング４４に弾接させた状態で摺動させることができ、これによりグリップ３と第１、第２の各アタッチメント部４、５との間における防水性を確保することができる。
【００７４】
なお、上述した実施形態では、第１、第２の各機器本体１、２に組み込まれた第１、第２の光学読取部８、１１が発光素子の光を対象物に照射させ、その反射光を撮像素子で受光することにより、対象物を画像情報として読み取るように構成されている場合について述べたが、これに限らず、例えばレーザー光線を対象物に照射させ、その反射光を受光素子で受光することにより、対象物のバーコードを読み取るように構成された光学読取部であっても良い。また、情報読取部は、必ずしも光学読取部である必要はなく、例えば商品などの対象物に設けられたＩＣタグなどのデータキャリアに記録されている情報を読み取る無線式の情報読取部であっても良い。
【符号の説明】
【００７５】
１、２  第１、第２の各機器本体
３  グリップ
４  第１、第２の各アタッチメント部
８、１１  第１、第２の各光学読取部
８ａ、１１ａ  光学窓部
１２  グリップ本体
２０  トリガスイッチ
２１  スイッチ釦
２２  スイッチ部
２７  防水カバー
３０  角度調整部材
３１  第１ヒンジ部
３２  第２ヒンジ部
３３  連結部
４１、５１第１、第２の各アタッチメントケース
４１ａ、５１ａ  グリップ装着部
４４  防水リング
【図１】
2011186699.tif 000003
【図２】
2011186699.tif 000004
【図３】
2011186699.tif 000005
【図４】
2011186699.tif 000006
【図５】
2011186699.tif 000007
【図６】
2011186699.tif 000008
【図７】
2011186699.tif 000009
【図８】
2011186699.tif 000010
【図９】
2011186699.tif 000011
【図１０】
2011186699.tif 000012
【図１１】
2011186699.tif 000013
【図１２】
2011186699.tif 000014